(57)【特許請求の範囲】
【請求項１】
無端ベルトを巻架して回転トルクを伝達するプーリを内周リングおよび外周リングの組み合わせによって形成し、
前記外周リングの外周面に前記無端ベルトを巻架するための溝部を設け、
前記内周リングおよび外周リングを両リング間に設けた円周方向ばねによって連結し、前記円周方向ばねが備える円周方向ばね性の範囲内で前記内周リングに対し前記外周リングが円周方向変位することによってトルク変動を吸収し、前記円周方向ばねが前記内周リングの外周面または前記外周リングの内周面に密着して弾性変形しなくなった時点で前記両リングは供回りし、
前記内周リングおよび外周リングは軸方向に相対変位可能に組み合わされることにより、前記外周リングおよび無端ベルト間の巻架に係る軸方向ミスアライメントを吸収し、前記外周リングは前記円周方向ばねを軸方向復帰ばねとして軸方向初動位置へ復帰動し、
前記円周方向ばねは、前記外周リングの内周面に設けたばね止着部の軸方向両側または前記外周リングに備えられるプーリ本体部の軸方向両側にそれぞれ配置された一対のコイルばねよりなり、かつ軸方向に予圧縮された状態で装着されていることを特徴とするトルク変動吸収プーリユニット。
【請求項２】
請求項１記載のプーリユニットにおいて、
前記円周方向ばねは、金属または樹脂材質のＣリングを複数組み合わせたものよりなることを特徴とするトルク変動吸収プーリユニット。
【請求項３】
請求項１または２記載のプーリユニットにおいて、
前記両リング間にラジアルベアリングが介装されるとともに前記ラジアルベアリングの軸方向両側にそれぞれ前記円周方向ばねが配置されていることを特徴とするトルク変動吸収プーリユニット。
【請求項４】
請求項１、２または３記載のプーリユニットにおいて、
当該プーリユニットは、回転軸に固定するハブに装着されることを特徴とするトルク変動吸収プーリユニット。
【請求項５】
請求項１、２または３記載のプーリユニットにおいて、
当該プーリユニットは、回転軸に固定するハブにゴム状弾性体を介して装着されることを特徴とするトルク変動吸収プーリユニット。
【請求項６】
請求項１、２または３記載のプーリユニットにおいて、
当該プーリユニットは、回転軸に固定するハブにゴム状弾性体および振動リングを介して装着されることを特徴とするトルク変動吸収プーリユニット。
【発明の詳細な説明】
【技術分野】
【０００１】
本発明は、回転駆動系において、回転トルクを伝達する機能、および前記回転トルクに含まれるトルク変動を吸収する機能を備えるトルク変動吸収プーリユニットに関する。
【背景技術】
【０００２】
従来から図７に示すように、ハブ５１の外周側にカップリングゴム５２を介してプーリ５３を連結したトルク変動吸収ダンパが知られており、このトルク変動吸収ダンパは、ハブ５１をもって回転軸に装着されるとともにプーリ５３の溝部５４に無端ベルトを巻架することにより、回転軸から各種の補機などへ回転トルクを伝達する機能を発揮し、併せて回転トルクに含まれるトルク変動を吸収する機能を発揮する（特許文献１参照）。
【０００３】
しかしながら、上記従来のトルク変動吸収ダンパには、エンジン起動時に補機ベルト系の共振点を通過し、その際ベルト変動が大きくなると云う問題がある。
【先行技術文献】
【特許文献】
【０００４】
【特許文献１】特開２０１１−０３３１５１号公報（図２）
【発明の概要】
【発明が解決しようとする課題】
【０００５】
本発明は以上の点に鑑みて、回転駆動系においてエンジン起動時に補機ベルト系の共振点を通過することがなく、もってベルト変動が大きくなるのを抑制することができるトルク変動吸収プーリユニットを提供することを目的とする。
【課題を解決するための手段】
【０００６】
上記目的を達成するため、本発明の請求項１によるトルク変動吸収プーリユニットは、無端ベルトを巻架して回転トルクを伝達するプーリを内周リングおよび外周リングの組み合わせによって形成し、前記外周リングの外周面に前記無端ベルトを巻架するための溝部を設け、前記内周リングおよび外周リングを両リング間に設けた円周方向ばねによって連結し、前記円周方向ばねが備える円周方向ばね性の範囲内で前記内周リングに対し前記外周リングが円周方向変位することによってトルク変動を吸収し、前記円周方向ばねが前記内周リングの外周面または前記外周リングの内周面に密着して弾性変形しなくなった時点で前記両リングは供回りし、前記内周リングおよび外周リングは軸方向に相対変位可能に組み合わされることにより、前記外周リングおよび無端ベルト間の巻架に係る軸方向ミスアライメントを吸収し、前記外周リングは前記円周方向ばねを軸方向復帰ばねとして軸方向初動位置へ復帰動し、前記円周方向ばねは、前記外周リングの内周面に設けたばね止着部の軸方向両側または前記外周リングに備えられるプーリ本体部の軸方向両側にそれぞれ配置された一対のコイルばねよりなり、かつ軸方向に予圧縮された状態で装着されていることを特徴とする。
【０００７】
また、本発明の請求項２によるトルク変動吸収プーリユニットは、上記した請求項１記載のプーリユニットにおいて、前記円周方向ばねは、金属または樹脂材質のＣリングを複数組み合わせたものよりなることを特徴とする。
【０００８】
また、本発明の請求項３によるトルク変動吸収プーリユニットは、上記した請求項１または２記載のプーリユニットにおいて、前記両リング間にラジアルベアリングが介装されるとともに前記ラジアルベアリングの軸方向両側にそれぞれ前記円周方向ばねが配置されていることを特徴とする。
【０００９】
また、本発明の請求項４によるトルク変動吸収プーリユニットは、上記した請求項１、２または３記載のプーリユニットにおいて、当該プーリユニットは、回転軸に固定するハブに装着されることを特徴とする。
【００１０】
また、本発明の請求項５によるトルク変動吸収プーリユニットは、上記した請求項１、２または３記載のプーリユニットにおいて、当該プーリユニットは、回転軸に固定するハブにゴム状弾性体を介して装着されることを特徴とする。
【００１１】
更にまた、本発明の請求項６によるトルク変動吸収プーリユニットは、上記した請求項１、２または３記載のプーリユニットにおいて、当該プーリユニットは、回転軸に固定するハブにゴム状弾性体および振動リングを介して装着されることを特徴とする。
【００１２】
上記構成を備える本発明のトルク変動吸収プーリユニットにおいては、プーリが内周リングおよび外周リングの組み合わせによって形成され、外周リングの外周面に無端ベルトを巻架するための溝部が設けられ、内周リングおよび外周リングが両リング間に設けた円周方向ばねによって連結されているために、内周リングおよび外周リングは、円周方向ばねを捩りながら（弾性変形させながら）、円周方向に相対変位（相対回転）することが可能とされており、円周方向ばねが大きく捩れて内周リングの外周面または外周リングの内周面に密着してそれ以上捩れなくなると、両リングが直結状態となって供回り（同時回転）する。したがって前者の、円周方向ばねが捩れて両リングが相対変位する状態にてエンジンアイドリング時の小振幅トルク変動を受けるとともに、後者の、円周方向ばねがそれ以上捩れず両リングが直結・供回りする状態にてエンジン起動時の大振幅トルク変動を受けるようにばね特性を設定することにより、エンジン起動時に通過する共振点を実質的になくすことが可能となる。
【００１３】
本発明のプーリユニットにおいては、円周方向ばねとして、ゴムではなくコイルばねが用いられ、このコイルばねの一端が内周リングに連結されるとともに他端が外周リングに連結される。また、この円周方向ばねに捩りを利かせる（円周方向ばねを円周方向に弾性変形可能とする）ために、円周方向ばねと内周リングの間および円周方向ばねと外周リングの間にそれぞれ初期的な径方向間隙が設定される。また、円周方向ばねとしてはコイルばねを形成するものとして、樹脂または金属材質のＣリング（円周上一箇所が切断されたリング）を用いることが考えられ、この場合には、ばねが容易に製作され、Ｃリングを複数組み合わせることによってばね定数の設定も可能となる。
【００１４】
尚、上記のようにプーリを内周側の内周リングと外周側の外周リングとに分割して相対変位可能に組み付けると、どうしても両リング間に径方向ガタが発生することが懸念される。そこで、これに対策するには、両リング間にラジアルベアリングを介在させることが考えられ、これによれば両リング間の径方向隙間が縮小もしくは消失するために、径方向ガタの発生を抑制することが可能とされる。またこの場合には、ラジアルベアリングの軸方向両側にそれぞれ円周方向ばねを配置するのが好適であり、このとき各円周方向ばねに軸方向の予圧縮を設定することにより、各部品間の軸方向ガタの発生を抑制することが可能となる。
【００１５】
また、本発明のプーリユニットは、その構成部品である円周方向ばねのばね性によってトルク変動を吸収するために、カップリングゴムを必要とせず、ユニット単体にて回転駆動系の任意の箇所に装着することができる。また、以下のように組み合わせることにより、ハブをもって回転軸に装着されるトルク変動吸収ダンパとすることもできる。
（１）当該プーリユニットをハブに装着し、これにより当該プーリユニットおよびハブを備えるトルク変動吸収ダンパを形成する。
（２）当該プーリユニットをゴム状弾性体を介してハブに装着し、これにより当該プーリユニットならびにハブおよびゴム状弾性体を備えるトルク変動吸収ダンパを形成する。
（３）当該プーリユニットをゴム状弾性体および振動リングを介してハブに装着し、これにより当該プーリユニットならびにハブ、ゴム状弾性体および振動リングを備えるトルク変動吸収ダンパを形成する。
【発明の効果】
【００１６】
本発明は、以下の効果を奏する。
【００１７】
すなわち、以上説明したように本発明のトルク変動吸収プーリユニットによれば、内周リングおよび外周リングは円周方向ばねを捩りながら円周方向に相対変位することが可能とされ、円周方向ばねが大きく捩れて内周リングの外周面または外周リングの内周面に密着してそれ以上捩れなくなると、両リングが直結状態となって供回りする。したがって前者の、円周方向ばねが捩れて両リングが相対変位する状態にてエンジンアイドリング時の小振幅トルク変動を受けるとともに、後者の、円周方向ばねがそれ以上捩れず両リングが直結・供回りする状態にてエンジン起動時の大振幅トルク変動を受けるようにばね特性を設定することにより、エンジン起動時に通過する共振点を実質的になくすことが可能となる。したがって本発明所期の目的どおり、エンジン起動時に補機ベルト系の共振点を通過せず、もってベルト変動が大きくなるのを抑制することができる。円周方向ばねを樹脂または金属材質のＣリングまたはＣリングを複数組み合わせたものとする場合には、ばねの製作が容易化され、ばね定数の設定も容易化される。内周リングおよび外周リング間にラジアルベアリングを介在させる場合には、両リング間の径方向ガタの発生を抑制することができる。ラジアルベアリングの軸方向両側にそれぞれ円周方向ばねを配置する場合には、軸方向の予圧縮を設定することにより各部品間の軸方向ガタの発生を抑制することができる。
【図面の簡単な説明】
【００１８】
【図１】本発明の第一実施例に係るトルク変動吸収プーリユニットの要部断面図
【図２】同プーリユニットにおける外周リングと円周方向ばねの組み付け状態を示す説明図
【図３】同プーリユニットを備えるトルク変動吸収ダンパの一例を示す半裁断面図
【図４】同プーリユニットを備えるトルク変動吸収ダンパの他の例を示す半裁断面図
【図５】本発明の第二実施例に係るトルク変動吸収プーリユニットの要部断面図
【図６】上記第一実施例に係るトルク変動吸収プーリユニットを備えるトルク変動吸収ダンパの他の例を示す半裁断面図
【図７】従来例に係るトルク変動吸収ダンパの断面図
【発明を実施するための形態】
【００１９】
本発明には、以下の実施形態が含まれる。
（１）従来のトルク変動吸収ダンパには、エンジン起動時に補機ベルト系の共振点を通過し、その際ベルト変動が大きくなると云う問題がある。
（２）上記問題を解消するため、以下の構成とする。
（２−１）カップリング構造ゴム部品を廃止し、樹脂もしくは金属性のＣリングをカップリング部品とする。
（２−２）プーリとハウジング間に前記（２−１）項のＣリングもしくはＣリングを組み合わせてカップリングばねを形成する。
（２−３）スプリング断面外径とプーリ内径もしくは、スプリング断面内径とハウジング外径には微小隙間を設ける。
（３）前記（２）項の構成によれば、以下の作用効果が発揮される。
（３−１）アイドリング回転以上の小振幅入力時はＣリングがばねとして働き、エンジンで発生する回転変動を絶縁する。
（３−２）エンジン始動時の大振幅入力時はＣリングが大きく捩られ外径側に膨らむか内径側に縮む。このとき、構造上設けられた微小隙間がなくなり、外径側もしくは内径側にＣリングがロックし、ばねの働きが無くなる（プーリと振動リングが直結状態）。したがってエンジン起動時に通過する共振点がなくなり、従来案よりもベルト変動を小さくすることができる。
（３−３）従来案に対し、カップリング構造がコンパクト化でき、小スペースでの設計が可能となる。また製品重量も軽くできる。
（３−４）ポリＶの内周側にバネ部品を設け、コンパクトなプーリユニットを形成し、そのユニットを金属嵌合でさまざまな位置に設けることができる。
（３−５）バネ部品をＣリング形状にすることで、樹脂または金属材料でも容易に成形でき、Ｃリングの組み合わせでばね定数設定も可能となる。
（３−６）本発明は、中心部に対し左右対称にバネを配置し、お互い予圧縮状態で組み立てるためバネのガタがなく打音が発生することがない。
【実施例】
【００２０】
つぎに本発明の実施例を図面にしたがって説明する。
【００２１】
第一実施例・・・
図１および図２は、本発明の第一実施例に係るトルク変動吸収プーリユニット１を示している。
【００２２】
当該実施例に係るプーリユニット１は、無端ベルト（図示せず）を巻架して回転トルクを伝達するプーリ２を有し（全体としてプーリ形状を呈し）、このプーリ２が内周側の内周リング（ハウジングまたはマスとも称する）１１と外周側の外周リング（狭義のプーリとも称する）２１との組み合わせによって形成され、外周リング２１の外周面に無端ベルトを巻架するための溝部２２が設けられている。溝部２２としては、Ｖ溝を複数備えるポリＶ溝が描かれているが、Ｖ溝を１つのみ備えるモノＶ溝であっても良い。
【００２３】
内周リング１１および外周リング２１は、両リング１１，２１間に設けた円周方向ばね３１によって弾性的に連結され、この円周方向ばね３１が備える円周方向ばね性の範囲内で内周リング１１に対し外周リング２１が円周方向変位（相対回転）することによってトルク変動を吸収し、円周方向ばね３１が内周リング１１の外周面または外周リング２１の内周面に密着してそれ以上弾性変形しなくなった時点で両リング１１，２１が供回り（同時回転）するように構成されている。
【００２４】
各部品は、以下のように構成されている。
【００２５】
内周リング１１は、金属材質の円筒体よりなり、軸方向両端にそれぞれ外向きのフランジ部１２が一体に設けられている。また、この内周リング１１はその外周側に円周方向ばね３１などを組み付ける都合上、分割面１１ａをもって軸方向に２分割され、分割体１１ｂ同士が互いに嵌合されている。
【００２６】
外周リング２１は、これも金属材質の円筒体よりなり、上記したようにその外周面に溝部２２が設けられている。また図２に示すように、外周リング２１の内周面には、その軸方向中央に位置して円周上１箇所の凸部（ばね止着部）２３が設けられている。
【００２７】
円周方向ばね３１は、前記凸部２３の軸方向両側にそれぞれ設けられ、すなわち円周方向ばね３１は軸方向一対が設けられている。また、この円周方向ばね３１はそれぞれコイルばねよりなり、円周方向のばね性を発揮するようにその一端が図２に示すように前記凸部２３の円周方向端面に連結（係合）されるとともにその他端が前記フランジ部１２に連結（係合）されている。また、円周方向ばね３１と内周リング１１の間および円周方向ばね３１と外周リング２１の間にはそれぞれ初期的な径方向間隙ｃ１，ｃ２が設定されている。また、円周方向ばね３１はそれぞれ軸方向に予圧縮された状態で凸部２３およびフランジ部１２間に装着されている。また、円周方向ばね３１はそれぞれ図２に示すように、樹脂または金属材質のＣリング３２が複数組み合わされる（直列に接続される）ことによって構成されている（図ではそれぞれ、３本のＣリング３２によって１つの円周方向ばね３１が形成されている）。
【００２８】
上記構成のプーリユニット１は、内周リング１１をもって例えば回転軸の外周に装着されるとともに外周リング２１の溝部２２に無端ベルトを巻架することにより、回転軸から各種の補機などへ回転トルクを伝達する機能を発揮し、併せて回転トルクに含まれるトルク変動を吸収する機能を発揮するものであって、上記構成により以下の作用効果を発揮する点に特徴を有している。
【００２９】
すなわち先ず、上記したようにプーリ２が内周リング１１および外周リング２１の組み合わせによって形成され、外周リング２１の外周面に無端ベルトを巻架するための溝部２２が設けられ、両リング１１，２１が両リング１１，２１間に設けた円周方向ばね３１によって連結されているために、両リング１１，２１は円周方向ばね３１を捩りながら円周方向に相対変位することが可能とされ、また円周方向ばね３１が大きく捩れて内周リング１１の外周面または外周リング２１の内周面に密着してそれ以上捩れなくなると、両リング１１，２１が直結状態となって供回りする。したがって前者の、円周方向ばね３１が捩れて両リング１１，２１が相対変位する状態にてエンジンアイドリング時の小振幅トルク変動を受けるとともに、後者の、円周方向ばね３１がそれ以上捩れず両リング１１，２１が直結・供回りする状態にてエンジン起動時の大振幅トルク変動を受けるようにばね特性を設定することにより、エンジン起動時に通過する共振点を実質的になくすことが可能となる。したがって、エンジン起動時に補機ベルト系の共振点を通過することがなく、もってベルト変動が大きくなるのを抑制することができる。
【００３０】
また、円周方向ばね３１を樹脂または金属材質のＣリング３２の組み合わせによって形成したために、ばね３１の製作が容易化され、ばね定数の設定も容易化されている。
【００３１】
また、外周リング２１の内周面に設けた凸部２３の軸方向両側にそれぞれ円周方向ばね３１を配置したために、これら一対の円周方向ばね３１に軸方向の予圧縮を設定することにより、各部品間に軸方向ガタが発生するのを抑制することができる。
【００３２】
尚、上記説明では、当該プーリユニット１を内周リング１１をもって回転軸の外周に装着（直付け）するとしたが、図３または図４に示すように、当該プーリユニット１をハブ４２に装着し、これにより当該プーリユニット１およびハブ４２を備えるトルク変動吸収ダンパ４１を形成するようにしても良い。図３の例では、ハブ４２の外周筒部４２ａの外周面に当該プーリユニット１が装着され、これにより当該プーリユニット１およびハブ４２よりなるトルク変動吸収ダンパ４１が形成されている。図４の例では、ハブ４２の外周筒部４２ａの外周面にはゴム状弾性体４３およびプーリ４４が装着されているが、これらとは別に、ハブ４２の筒部４２ｂの外周面に当該プーリユニット１が装着されている。したがってこの場合には、当該プーリユニット１、ハブ４２、ゴム状弾性体４３およびプーリ４４よりなるトルク変動吸収ダンパ４１が形成されている。
【００３３】
第二実施例・・・
図５は、本発明の第二実施例に係るトルク変動吸収プーリユニット１を示している。
【００３４】
当該実施例に係るプーリユニット１は、無端ベルト（図示せず）を巻架して回転トルクを伝達するプーリ２を有し（全体としてプーリ形状を呈し）、このプーリ２が内周側の内周リング（ハウジングまたはマスとも称する）１１と外周側の外周リング（狭義のプーリとも称する）２１との組み合わせによって形成され、外周リング２１の外周面に無端ベルトを巻架するための溝部２２が設けられている。溝部２２としては、Ｖ溝を複数備えるポリＶ溝が描かれているが、Ｖ溝を１つのみ備えるモノＶ溝であっても良い。
【００３５】
内周リング１１および外周リング２１は、両リング１１，２１間に設けた円周方向ばね３１によって弾性的に連結され、この円周方向ばね３１が備える円周方向ばね性の範囲内で内周リング１１に対し外周リング２１が円周方向変位（相対回転）することによってトルク変動を吸収し、円周方向ばね３１が内周リング１１の外周面または外周リング２１の内周面に密着してそれ以上弾性変形しなくなった時点で両リング１１，２１が供回り（同時回転）するように構成されている。
【００３６】
また、内周リング１１と外周リング２１の間には、所定の樹脂材質よりなる環状のラジアルベアリング３５が介装されている。
【００３７】
また、内周リング１１の軸方向一方の端部外周に外向きのフランジ部１２が設けられるとともに内周リング１１の軸方向他方の端部外周にストッパ３６が設けられ（フランジ部１２は一体成形による、ストッパ３６は嵌合による）、このフランジ部１２と外周リング２１の間およびストッパ３６と外周リング２１の間にそれぞれ、前記円周方向ばね３１が設けられている。
【００３８】
各部品は、以下のように構成されている。
【００３９】
内周リング１１は、金属材質の円筒体よりなり、上記したようにその軸方向一方の端部外周に外向きのフランジ部１２が設けられるとともに軸方向他方の端部外周にストッパ３６が設けられている。
【００４０】
外周リング２１は、これも金属材質の円筒体よりなり、上記したようにその外周面に溝部２２が設けられている。また、この外周リング２１は、その内周にラジアルベアリング３５、フランジ部１２、ストッパ３６および軸方向一対の円周方向ばね３１を配置する都合上、溝部２２を設けた軸方向中央のプーリ本体部２４の軸方向両端にそれぞれ比較的内径寸法の大きな庇状の筒状部２５が一体成形された形状とされており、軸方向中央のプーリ本体部２４の内周側にラジアルベアリング３５が配置され、軸方向一方の筒状部２５の内周側にフランジ部１２および一方の円周方向ばね３１が配置され、軸方向他方の筒状部２５の内周側にストッパ３６および他方の円周方向ばね３１が配置されている。
【００４１】
円周方向ばね３１は、上記したように前記プーリ本体部２４の軸方向両側にそれぞれ設けられ、すなわち円周方向ばね３１は軸方向一対が設けられている。また、この円周方向ばね３１はそれぞれコイルばねよりなり、円周方向のばね性を発揮するようにその一端が前記プーリ本体部２４に連結（係合）されるとともにその他端が前記フランジ部１２または前記ストッパ３６に連結（係合）されている。また、円周方向ばね３１と内周リング１１の間および円周方向ばね３１と外周リング２１（前記筒状部２５）の間にはそれぞれ初期的な径方向間隙ｃ１，ｃ２が設定されている。また、円周方向ばね３１はそれぞれ軸方向に予圧縮された状態でプーリ本体部２４とフランジ部１２の間およびプーリ本体部２４とストッパ３６の間に装着されている。
【００４２】
上記構成のプーリユニット１は、内周リング１１をもって例えば回転軸の外周に装着されるとともに外周リング２１の溝部２２に無端ベルトを巻架することにより、回転軸から各種の補機などへ回転トルクを伝達する機能を発揮し、併せて回転トルクに含まれるトルク変動を吸収する機能を発揮するものであって、上記構成により以下の作用効果を発揮する点に特徴を有している。
【００４３】
すなわち先ず、上記したようにプーリ２が内周リング１１および外周リング２１の組み合わせによって形成され、外周リング２１の外周面に無端ベルトを巻架するための溝部２２が設けられ、両リング１１，２１が両リング１１，２１間に設けた円周方向ばね３１によって連結されているために、両リング１１，２１は円周方向ばね３１を捩りながら円周方向に相対変位することが可能とされており、また円周方向ばね３１が大きく捩れて内周リング１１の外周面または外周リング２１の内周面に密着してそれ以上捩れなくなると、両リング１１，２１が直結状態となって供回りする。したがって前者の、円周方向ばね３１が捩れて両リング１１，２１が相対変位する状態にてエンジンアイドリング時の小振幅トルク変動を受けるとともに、後者の、円周方向ばね３１がそれ以上捩れず両リング１１，２１が直結・供回りする状態にてエンジン起動時の大振幅トルク変動を受けるようにばね特性を設定することにより、エンジン起動時に通過する共振点を実質的になくすことが可能となる。したがって、エンジン起動時に補機ベルト系の共振点を通過することがなく、もってベルト変動が大きくなるのを抑制することができる。
【００４４】
また、外周リング２１の内周面に凸状に設けたプーリ本体部２４の軸方向両側にそれぞれ円周方向ばね３１を配置したために、これら一対の円周方向ばね３１に軸方向の予圧縮を設定することにより、各部品間に軸方向ガタが発生するのを抑制することができる。
【００４５】
尚、上記したように内周リング１１および外周リング２１は、円周方向ばね３１が備える円周方向ばね性の範囲内で円周方向に相対変位可能に組み合わされているが、これとは別に、両リング１１，２１を軸方向に相対変位可能に組み合わせることも考えられ、この場合には、外周リング２１および無端ベルト間に巻架に係る軸方向ミスアライメントがあったときに、このミスアライメントを吸収する機能を発揮することができる。すなわち、外周リング２１および無端ベルト間にミスアライメントが存在すると、外周リング２１が無端ベルトの張力によって引っ張られるかたちにて内周リング１１に対して軸方向変位し、これによりミスアライメントを吸収する。したがって溝部位置公差を厳しく管理しなくてもミスアライメントを低減させることができ、もってミスアライメントに起因するベルト鳴き現象が発生するのを抑制することができる。また、この場合には、円周方向ばね３１が軸方向復帰ばねとしても作用するため、自動で外周リング２１を軸方向初動位置へ復帰動させることができる。
【００４６】
また、上記説明では、当該プーリユニット１を内周リング１１をもって回転軸の外周に装着（直付け）するとしたが、図５に示したように、当該プーリユニット１をゴム状弾性体４３を介してハブ４２に装着し、これにより当該プーリユニット１ならびにハブ４２およびゴム状弾性体４３を備えるトルク変動吸収ダンパ４１を形成するようにしても良い。
【００４７】
また、前記両実施例に共通して、図６に示すように、当該プーリユニット１をゴム状弾性体４３および振動リング（マスリング）４５を介してハブ４２に装着し、これにより当該プーリユニット１ならびにハブ４２、ゴム状弾性体４３および振動リング４５を備えるトルク変動吸収ダンパ４１を形成するようにしても良い。この場合、当該プーリユニット１は振動リング４５の外周に装着されることになる。
【符号の説明】
【００４８】
１  トルク変動吸収プーリユニット
２  プーリ
１１  内周リング
１１ａ  分割面
１１ｂ  分割体
１２  フランジ部
２１  外周リング
２２  溝部
２３  凸部
２４  プーリ本体部
２５，４２ｂ  筒状部
３１  円周方向ばね
３２  Ｃリング
３５  ラジアルベアリング
３６  ストッパ
４１  トルク変動吸収ダンパ
４２  ハブ
４２ａ  外周筒部
４３  ゴム状弾性体
４４  プーリ
４５  振動リング
ｃ１，ｃ２  径方向間隙
【図１】
0005930147.tif 000002
【図２】
0005930147.tif 000003
【図３】
0005930147.tif 000004
【図４】
0005930147.tif 000005
【図５】
0005930147.tif 000006
【図６】
0005930147.tif 000007
【図７】
0005930147.tif 000008